【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいてユーザ機器（ＵＥ）の電力を管理するための方法であって、
外部電源からの内部電源の切断を決定することと、
前記ＵＥの前記内部電源の現在の充電の状態を決定することと、
前記切断を決定すること及び前記現在の充電の状態を決定することに応答して、前記ＵＥのモデムの１つ以上のモデム制御パラメータを調整することと
を備え、前記調整することは、前記モデムによって使用するために利用可能な前記ＵＥの受信チェーンの数の低減を含む、方法。
【請求項２】
前記現在の充電の状態を前記決定することは、前記決定することに応答して、複数の充電状態レベルから前記内部電源の充電状態レベルを識別することを備え、
前記調整することは、前記識別された充電状態レベルに基づいて、前記モデムの省電力モードを選択することを備える、請求項１に記載の方法。
【請求項３】
前記ＵＥの利用可能な受信チェーンの前記数の前記低減は、
前記ＵＥの最高ランクよりも低い前記ＵＥのランクを通知することを備える、請求項１に記載の方法。
【請求項４】
１つ以上のモデム制御パラメータを前記調整することは、
前記ＵＥによって実施される近隣探索要求の度合いを低減することを更に備える、請求項１に記載の方法。
【請求項５】
基準信号受信電力（ＲＳＲＰ）を決定することを更に備え、ここにおいて、近隣探索要求の前記度合いは前記ＲＳＲＰに基づく、請求項４に記載の方法。
【請求項６】
前記近隣探索要求は、周波数間又は無線アクセス技術間の測定の１つ以上を備える、請求項４に記載の方法。
【請求項７】
１つ以上のモデム制御パラメータを前記調整することは、
前記ＵＥの実際のデータ量の値に対する低減されたデータ量の値を示すバッファステータス報告（ＢＳＲ）パラメータを提供することを更に備える、請求項１に記載の方法。
【請求項８】
１つ以上のモデム制御パラメータを前記調整することは、
アップリンクチャネルの最大送信電力レベルを調整することを更に備える、請求項１に記載の方法。
【請求項９】
１つ以上のモデム制御パラメータを前記調整することは、
前記ＵＥによって実施される１つ以上の周波数スキャン要求の間の時間遅延を増加させることを更に備える、請求項１に記載の方法。
【請求項１０】
前記時間遅延は、連続する不成功の周波数スキャン要求の数に基づいて増加される、請求項９に記載の方法。
【請求項１１】
請求項１の方法を実施するための手段を備える、ワイヤレス通信ネットワークにおいてユーザ機器（ＵＥ）の電力を管理するための装置。
【請求項１２】
ワイヤレス通信ネットワークにおいてユーザ機器（ＵＥ）の電力を管理するためのコンピュータプログラム製品であって、
請求項１の方法を実施するように、プロセッサによって実行可能な命令を記憶するコンピュータ可読記憶媒体を備えるコンピュータプログラム製品。
【手続補正２】
【補正対象書類名】明細書
【補正対象項目名】００８５
【補正方法】変更
【補正の内容】
【００８５】
[0095]本開示の前述の説明は、当業者が本開示を作製又は使用することを可能にするために与えられる。本開示に対する様々な修正が当業者には容易に明らかとなり、本明細書において規定された一般原理は、本開示の趣旨又は範囲から逸脱することなく他の変形形態に適用され得る。本開示全体にわたって、「例」又は「例示的」という用語は、一例又は一事例を示すものであり、言及された例についていかなる選好も暗示せず、又は必要としない。従って、本開示は、本明細書で説明した例及び設計に限定されるべきでなく、本明細書で開示した原理及び新規の特徴に一致する最も広い範囲を与えられるべきである。
以下に本願の出願当初の特許請求の範囲に記載された発明を付記する。
[Ｃ１]  ワイヤレス通信ネットワークにおいてユーザ機器（ＵＥ）の電力を管理するための方法であって、
前記ＵＥの内部電源の現在の充電の状態を決定することと、
前記決定することに応答して、前記ＵＥのモデムの１つ以上のモデム制御パラメータを調整することとを備え、前記調整することは、前記モデムによる使用のために利用可能な前記ＵＥの受信チェーンの数の低減を含む、方法。
[Ｃ２]  前記決定することは、前記決定することに応答して、複数の充電状態レベルから前記内部電源の充電状態レベルを識別することを備え、
前記調整することは、前記識別された充電状態レベルに基づいて、前記モデムの省電力モードを選択することを備える、Ｃ１に記載の方法。
[Ｃ３]  前記ＵＥの利用可能な受信チェーンの前記数の前記低減は、
前記ＵＥの最高ランクよりも低い前記ＵＥのランクを通知することを備える、Ｃ１に記載の方法。
[Ｃ４]  １つ以上のモデム制御パラメータを前記調整することは、
前記ＵＥによって実施される近隣探索要求の度合いを低減することを更に備える、Ｃ１に記載の方法。
[Ｃ５]  基準信号受信電力（ＲＳＲＰ）を決定することを更に備え、ここにおいて、近隣探索要求の前記度合いは前記ＲＳＲＰに基づく、Ｃ４に記載の方法。
[Ｃ６]  前記近隣探索要求は、周波数間又は無線アクセス技術間の測定の１つ以上を備える、Ｃ４に記載の方法。
[Ｃ７]  １つ以上のモデム制御パラメータを前記調整することは、
前記ＵＥの実際のデータ量の値に対する低減されたデータ量の値を示すバッファステータス報告（ＢＳＲ）パラメータを提供することを更に備える、Ｃ１に記載の方法。
[Ｃ８]  １つ以上のモデム制御パラメータを前記調整することは、
アップリンクチャネルの最大送信電力レベルを調整することを更に備える、Ｃ１に記載の方法。
[Ｃ９]  １つ以上のモデム制御パラメータを前記調整することは、
前記ＵＥによって実施される１つ以上の周波数スキャン要求の間の時間遅延を増加させることを更に備える、Ｃ１に記載の方法。
[Ｃ１０]  前記時間遅延は、連続する不成功の周波数スキャン要求の数に基づいて増加される、Ｃ９に記載の方法。
[Ｃ１１]  ワイヤレス通信ネットワークにおいてユーザ機器（ＵＥ）の電力を管理するための装置であって、
前記ＵＥの内部電源の現在の充電の状態を決定し、
前記決定することに応答して、前記モデムによる使用のために利用可能な前記ＵＥの受信チェーンの数を低減するために、前記ＵＥのモデムの１つ以上のモデム制御パラメータを調整するように構成された少なくとも１つのプロセッサを備える装置。
[Ｃ１２]  前記少なくとも１つのプロセッサは、
前記決定することに応答して、複数の充電状態レベルから前記内部電源の充電状態レベルを識別し、
前記識別された充電状態レベルに基づいて前記モデムの省電力モードを選択するように更に構成される、Ｃ１１に記載の装置。
[Ｃ１３]  前記少なくとも１つのプロセッサは、
前記ＵＥの最高ランクよりも低い前記ＵＥのランクを通知するように更に構成される、Ｃ１１に記載の装置。
[Ｃ１４]  前記少なくとも１つのプロセッサは、
前記ＵＥによって実施される近隣探索要求の度合いを低減するように更に構成される、Ｃ１１に記載の装置。
[Ｃ１５]  前記少なくとも１つのプロセッサは、
基準信号受信電力（ＲＳＲＰ）を決定するように更に構成され、近隣探索要求の前記度合いは前記ＲＳＲＰに基づく、Ｃ１４に記載の装置。
[Ｃ１６]  前記近隣探索要求は、周波数間又は無線アクセス技術間の測定の１つ以上を備える、Ｃ１４に記載の装置。
[Ｃ１７]  前記少なくとも１つのプロセッサは、
前記ＵＥの実際のデータ量の値に対する低減されたデータ量の値を示すバッファステータス報告（ＢＳＲ）パラメータを提供するように更に構成される、Ｃ１１に記載の装置。
[Ｃ１８]  前記少なくとも１つのプロセッサは、
アップリンクチャネルの最大送信電力レベルを調整するように更に構成される、Ｃ１１に記載の装置。
[Ｃ１９]  前記少なくとも１つのプロセッサは、
前記ＵＥによって実施される１つ以上の周波数スキャン要求の間の時間遅延を増加させるように更に構成される、Ｃ１１に記載の装置。
[Ｃ２０]  前記時間遅延は、連続する不成功の周波数スキャン要求の数に基づいて増加される、Ｃ１９に記載の装置。
[Ｃ２１]  ワイヤレス通信ネットワークにおいてユーザ機器（ＵＥ）の電力を管理するための装置であって、
前記ＵＥの内部電源の現在の充電の状態を決定するための手段と、
前記決定することに応答して、前記モデムによる使用のために利用可能な前記ＵＥの受信チェーンの数を低減するために、前記ＵＥのモデムの１つ以上のモデム制御パラメータを調整するための手段とを備える装置。
[Ｃ２２]  決定するための前記手段は、前記決定することに応答して、複数の充電状態レベルから前記内部電源の充電状態レベルを識別するための手段を備え、
調整するための前記手段は、前記識別された充電状態レベルに基づいて、前記モデムの省電力モードを選択するための手段を備える、Ｃ２１に記載の装置。
[Ｃ２３]  調整するための前記手段は、前記ＵＥの最高ランクよりも低い前記ＵＥのランクを通知するための手段を含む、Ｃ２１に記載の装置。
[Ｃ２４]  １つ以上のモデム制御パラメータを調整するための前記手段は、前記ＵＥによって実施される近隣探索要求の度合いを低減するための手段を備える、Ｃ２１に記載の装置。
[Ｃ２５]  １つ以上のモデム制御パラメータを調整するための前記手段は、前記ＵＥの実際のデータ量の値に対する低減されたデータ量の値を示すバッファステータス報告（ＢＳＲ）パラメータを提供するための手段を含むか、
１つ以上のモデム制御パラメータを調整するための前記手段は、前記ＵＥによって実施される１つ以上の周波数スキャン要求の間の時間遅延を増加させるための手段を含むかの少なくとも１つである、Ｃ２１に記載の装置。
[Ｃ２６]  ワイヤレス通信ネットワークにおいてユーザ機器（ＵＥ）の電力を管理するためのコンピュータプログラム製品であって、
前記ＵＥの内部電源の現在の充電の状態を決定し、
前記決定することに応答して、前記モデムによる使用のために利用可能な前記ＵＥの受信チェーンの数を低減するために、前記ＵＥのモデムの１つ以上のモデム制御パラメータを調整するように、プロセッサによって実行可能な命令を記憶する非一時的コンピュータ可読媒体を備えるコンピュータプログラム製品。
[Ｃ２７]  前記命令は、前記プロセッサによって、前記決定することに応答して複数の充電状態レベルから前記内部電源の充電状態レベルを識別し、前記識別された充電状態レベルに基づいて前記モデムの省電力モードを選択するように更に実行可能である、Ｃ２６に記載のコンピュータプログラム製品。
[Ｃ２８]  前記ＵＥの利用可能な受信チェーンの前記数の前記低減は、前記ＵＥの最高ランクよりも低い前記ＵＥのランクを通知することを備える、Ｃ２６に記載のコンピュータプログラム製品。
[Ｃ２９]  前記命令は、前記プロセッサによって、前記ＵＥによって実施される近隣探索要求の度合いを低減するように更に実行可能である、Ｃ２６に記載のコンピュータプログラム製品。
[Ｃ３０]  前記命令は、前記プロセッサによって、前記ＵＥの実際のデータ量の値に対する低減されたデータ量の値を示すバッファステータス報告（ＢＳＲ）パラメータを提供するように、更に実行可能であるか、
前記命令は、前記プロセッサによって、前記ＵＥによって実施される１つ以上の周波数スキャン要求の間の時間遅延を増加させるように更に実行可能であるかの少なくとも一方である、Ｃ２６に記載のコンピュータプログラム製品。